(57)【要約】【課題】乾燥した収集表面に粉塵が付着する現象を防止可能な放電ワイヤの清掃に用いるパルスジェットを有する湿式静電集塵器を提供する。【解決手段】ハウジング２０は、内部が中空を呈し、かつチャンバー２１、排気入口２２、気流出口２３、洗浄液溢流槽２４、洗浄液収集槽２５および気体噴出通路２６を有する。放電ワイヤ３０は、チャンバー２２内に配置される。粗皮表面にＴｉＯ2またはＳｉＯ2ナノ粒子がコーディングされた収集電極４０は、ハウジング２０の内部に配置され、チャンバー２１と気体噴出通路２６との間に設けられる。洗浄液散布ユニット５０は、かつ金属製多孔板５２および粗皮表面にＴｉＯ2またはＳｉＯ2ナノ粒子がコーディングされたガラス平板５４を有する。これにより、洗浄液は、均一な水膜を生成することによって全体の除去効率を向上し、放電ワイヤ３０の使用寿命を延ばすことが可能である。【選択図】  図２
2011056493.tif 000002
【特許請求の範囲】
【請求項１】
内部が中空を呈し、かつチャンバー、排気入口、気流出口、洗浄液溢流槽、洗浄液収集槽および気体噴出通路を有し、前記洗浄液溢流槽および前記洗浄液収集槽は前記チャンバーに接続され、前記排気入口および前記気流出口は前記チャンバーから外部まで延長されるハウジングと、
前記チャンバー内に配置される放電ワイヤと、
前記ハウジングの内部に配置され、前記チャンバーと前記気体噴出通路との間に設けられ、かつ前記チャンバーと前記気体噴出通路に連絡する複数の気孔を有し、前記気孔の位置は前記放電ワイヤに対応する収集電極と、
粗皮表面を有し、かつ前記ハウジングの内壁に配置され、かつ前記洗浄液溢流槽の底部なおかつ前記収集電極の頂部に設けられる洗浄液散布ユニットと、
を備えることを特徴とする放電ワイヤの清掃に用いるパルスジェットを有する湿式静電集塵器。
【請求項２】
前記洗浄液散布ユニットは、金属製多孔板を有することを特徴とする請求項１に記載の放電ワイヤの清掃に用いるパルスジェットを有する湿式静電集塵器。
【請求項３】
前記洗浄液散布ユニットは、前記粗皮表面にＴｉＯ2またはＳｉＯ2ナノ粒子がコーディングされたガラス平板を有することを特徴とする請求項１に記載の放電ワイヤの清掃に用いるパルスジェットを有する湿式静電集塵器。
【請求項４】
前記洗浄液散布ユニットの表面は、親水性表面を有することを特徴とする請求項１に記載の放電ワイヤの清掃に用いるパルスジェットを有する湿式静電集塵器。
【請求項５】
前記洗浄液散布ユニットは、金属製多孔板と、前記粗皮表面にＴｉＯ2ナノ粒子がコーディングされたガラス平板と、を有することを特徴とする請求項１に記載の放電ワイヤの清掃に用いるパルスジェットを有する湿式静電集塵器。
【請求項６】
前記ハウジングの内部に配置され、かつ前記チャンバーと前記洗浄液収集槽との間に設けられる遮断板をさらに備えることを特徴とする請求項１に記載の放電ワイヤの清掃に用いるパルスジェットを有する湿式静電集塵器。
【発明の詳細な説明】
【技術分野】
【０００１】
本発明は、大気汚染防御設備に関し、詳しく言えばＴｉＯ2またはＳｉＯ2ナノ粒子がコーディングされた収集電極の粗皮表面に洗浄液の水膜を均一に生成させることによって乾燥した収集表面に粉塵が付着する現象を防止し、かつ放電ワイヤにパルスジェット清掃を行なうことによって放電ワイヤに微粒子が堆積する現象を防止することを可能にする湿式静電集塵器に関するものである。
【背景技術】
【０００２】
静電集塵器は、湿式および乾式の二種類があり、両者はいずれも工業製造過程に生じた微粒子の除去に汎用されている。微粒子が静電集塵器の内部に導入される際、微粒子は、拡散作用および電場作用によって帯電し、かつ静電力の作用によって内部の収集電極の上に収集される。
【０００３】
乾式静電集塵器に対し、湿式静電集塵器は、多くの不要な種類の微粒子、特に粘性、腐食性または高電気抵抗性（resistivity）を有する微粒子を除去することが可能である。湿式静電集塵器は、間欠水流または連続水流によって収集電極表面に堆積した微粒子を清掃する。従って、一般の乾式静電集塵器では、打撃方式によって微粒子を叩き落すのに対し、湿式静電集塵器では、微粒子の再飛散（re-entrainment）をより確実に抑制することが可能である。
【０００４】
特許文献１による放電ワイヤが収集管の内部に配置された湿式静電集塵器は、洗浄液が平板の上を均一に流動し、続いて収集電極の円筒内壁に沿って下へ流動することによって微粒子を除去する。しかし、洗浄液は、収集管の壁面に水膜を均一に生成することができず、一部分の壁面に乾燥区が生成されるため、一部分の微粒子が洗浄液によって除去されず、乾燥した壁面に付着するという現象が発生する。また微粒子は、放電ワイヤに容易に付着するため、長期にわたって使用すると、粉塵が塊になり、放電ワイヤに生じるコロナ強度を低下させ、放電ワイヤの使用寿命を短縮してしまう。
【先行技術文献】
【特許文献】
【０００５】
【特許文献１】米国特許第５，３９５，４３０号明細書
【発明の概要】
【発明が解決しようとする課題】
【０００６】
本発明の主な目的は、ＴｉＯ2またはＳｉＯ2ナノ粒子がコーディングされた収集電極の粗皮表面に洗浄液の水膜を均一に生成させることによって、乾燥した収集表面に粉塵が付着する現象を防止可能な放電ワイヤの清掃に用いるパルスジェットを有する湿式静電集塵器を提供することである。
【０００７】
本発明のもう一つの目的は、放電ワイヤ上の粉塵にパルスジェット清掃を行なうことによって、放電ワイヤに微粒子が堆積する現象を防止可能な放電ワイヤの清掃に用いるパルスジェットを有する湿式静電集塵器を提供することである。
【課題を解決するための手段】
【０００８】
上述の目的を達成するために、本発明による放電ワイヤの清掃に用いるパルスジェットを有する湿式静電集塵器は、ハウジング、放電ワイヤ、収集電極および洗浄液散布ユニットを備える。ハウジングは、内部が中空を呈し、かつチャンバー、排気入口、気流出口、洗浄液溢流槽、洗浄液収集槽および気体噴出通路を有する。洗浄液溢流槽および洗浄液収集槽は、チャンバーに接続される。排気入口および気流出口は、チャンバーからハウジングの外部まで延長される。放電ワイヤは、チャンバー内に配置される。収集電極は、ハウジングの内部に配置され、チャンバーと気体噴出通路との間に設けられる。収集電極は、チャンバーと気体噴出通路に連絡する複数の気孔を有し、気孔の位置は放電ワイヤに対応する。洗浄液散布ユニットは、ハウジングの内壁に配置され、かつ金属製多孔板およびガラス平板を有する。洗浄液散布ユニットは、洗浄液溢流槽の底部なおかつ収集電極の頂部に設けられる。湿式静電集塵器は、さらに遮断板を有し、遮断板は、ハウジングの内部に配置され、かつチャンバーと洗浄液収集槽との間に設けられる。
【図面の簡単な説明】
【０００９】
【図１】本発明の一実施形態による放電ワイヤの清掃に用いるパルスジェットを有する湿式静電集塵器を示す分解斜視図である。
【図２】本発明の一実施形態による放電ワイヤの清掃に用いるパルスジェットを有する湿式静電集塵器を示す断面図である。
【発明を実施するための形態】
【００１０】
以下、本発明による放電ワイヤの清掃に用いるパルスジェットを有する湿式静電集塵器を図面に基づいて説明する。
（一実施形態）
図１から図２に示すように、本発明の一実施形態による放電ワイヤの清掃に用いるパルスジェットを有する湿式静電集塵器１０は、ハウジング２０、三つの放電ワイヤ３０、二つの収集電極４０、二つの洗浄液散布ユニット５０および二つの洗浄液遮断板６０を備える。
【００１１】
ハウジング２０は、左側蓋２０１と右側蓋２０３とが合わさることによって構成される。左側蓋２０１および右側蓋２０３は、アクリルまたは耐高温性および耐酸、耐アルカリ性を有する材質から構成される。ハウジング２０は、内部が中空を呈し、かつチャンバー２１、排気入口２２、気流出口２３、二つの洗浄液溢流槽２４、二つの洗浄液収集槽２５および二つの気体噴出通路２６を有する。洗浄液溢流槽２４および洗浄液収集槽２５は、チャンバー２１に接続され、排気入口２２および気流出口２３は、チャンバー２１からハウジング２０の外部まで延長される。二つの気体噴出通路２６は、パルスジェット管路２６１およびパルスジェットバルブ２６３によって、図示しないパルスジェットコントローラー（pulse jet controller）に接続される。
【００１２】
放電ワイヤ３０は、金属から構成され、線状を呈し、かつチャンバー２１内に配置される。
二つの収集電極４０は、金属から構成され、かつ板状を呈する。二つの収集電極４０は、ハウジング２０の内部に配置され、チャンバー２１と気体噴出通路２６との間に設けられる。収集電極４０は、チャンバー２１と気体噴出通路２６に連絡する複数の気孔４２を有し、気孔４２の位置は放電ワイヤ３０に対応するため、パルスジェットコントローラーに生じたパルスジェットは、気体噴出通路２６および収集電極４０の気孔４２によって放電ワイヤ３０に気体を噴き出すことが可能である。放電ワイヤ３０は、図示しない高圧直流電源に接続され、収集電極４０は接地されるため、放電ワイヤ３０と収集電極４０との間に電場を生成させることが可能である。
【００１３】
二つの洗浄液散布ユニット５０は、ハウジング２０の内壁に配置され、かつ洗浄液溢流槽２４の底部なおかつ収集電極４０の頂部に設けられ、かつ二つの金属製多孔板５２と、粗皮表面にＴｉＯ2またはＳｉＯ2ナノ粒子がコーディングされた二つのガラス平板５４とを有する。二つの金属製多孔板５２は、二つのガラス平板５４の頂部に別々に位置付けられ、かつその粗皮表面に数多くの微細孔を有する。二つのガラス平板５４は、サンドブラスト処理によって表面が粗皮状に形成され、かつＴｉＯ2またはＳｉＯ2ナノ粒子がコーディングされたため、ＴｉＯ2またはＳｉＯ2ナノ粒子の親水性および多孔表面に生じる毛管力によって親水性表面を生成させることが可能である。
【００１４】
二つの洗浄液遮断板６０は、ハウジング２０の内部に配置され、かつチャンバー２１と洗浄液収集槽２５との間に設けられるため、金属製多孔板５２、ガラス平板５４および収集電極４０を流れる洗浄液を洗浄液収集槽２５内にスムーズに導入することが可能である。
【００１５】
上述した構造により、処理待ちの排気が排気入口２２からチャンバー２１内に導入される際、放電ワイヤ３０は、コロナ放電によって排気中の微粒子を帯電させ、そして微粒子を収集電極４０に移動させることが可能である。このとき洗浄液は、洗浄液溢流槽２４によってチャンバー２１内に流入し、続いて金属製多孔板５２、ガラス平板５４および収集電極４０の壁面に沿って下へ流動するため、帯電微粒子は、収集電極４０に接触せず、洗浄液によって除去されてしまう。従って排気浄化を達成することが可能である。浄化された気体は、気流出口２３によって外部に放流される。収集電極４０を流通した洗浄液は、洗浄液収集槽２５によってチャンバー２１の外部に放流され、そして浄化が完了した後、再び洗浄液溢流槽２４に注入され、循環再使用される。
【００１６】
金属製多孔板５２およびガラス平板５４は、粗皮表面を有するため、洗浄液を表面に均一に分布させることが可能である。従って、洗浄液は、均一な水膜を生成し、収集電極４０を流通することによって全体の除去効率を向上させることが可能である。放電ワイヤ３０に付着した微粒子は、パルスジェットによって除去されるため、微粒子が堆積して除去効率に影響を与えるという事態を防止することが可能なだけでなく、放電ワイヤ３０の使用寿命を大いに延ばすことが可能である。
【００１７】
ガラス平板５４のほかには、二つの収集電極４０にサンドブラスト処理を行い、かつＴｉＯ2またはＳｉＯ2ナノ粒子をコーディングすることによって親水性表面を生成させることが可能である。また二つの収集電極４０を製作する際、サンドブラスト工程を省略することによってコストを削減し、電場の強度を高めることが可能である。本実施形態において、二つの放電ワイヤ３０は、気流の流動方向に垂直であるが、気流の流動方向に平行であるように設計されることが可能である。
以上、本発明は、上記実施形態になんら限定されるものではなく、発明の趣旨を逸脱しない範囲において種々の形態で実施可能である。
【符号の説明】
【００１８】
１０：放電ワイヤの清掃に用いるパルスジェットを有する湿式静電集塵器、２０：ハウジング、２０１：左側蓋、２０３：右側蓋、２１：チャンバー、２２：排気入口、２３：気流出口、２４：洗浄液溢流槽、２５：洗浄液収集槽、２６：気体噴出通路、２６１：パルスジェット管路、２６３：パルスジェットバルブ、３０：放電ワイヤ、４０：粗皮表面にＴｉＯ2またはＳｉＯ2ナノ粒子がコーディングされた収集電極、４２：気孔、５０：洗浄液散布ユニット、５２：金属製多孔板、５４：粗皮表面にＴｉＯ2またはＳｉＯ2ナノ粒子がコーディングされたガラス平板、６０：洗浄液遮断版
【図１】
2011056493.tif 000003
【図２】
2011056493.tif 000004